(57)【要約】【課題】座の下方に物品収容部を備える椅子において、特定方向からの収容空間へのアクセスを抑止するとともに、足元スペースを拡大する。【解決手段】着座者が着座する座４と、座４の下方に設けられる物品収容部３と、を備え、物品収容部３の外周に、物品収容部３内の収容空間Ｋ１にアクセスするための開口部６と、開口部６と隣接する位置で物品収容部３の下側から上側に向かうほど外周側に張り出す遮蔽部としての後壁部１２と、が設けられる。【選択図】図１
2015202343.tif 000002
【特許請求の範囲】
【請求項１】
着座者が着座する座と、前記座の下方に設けられる物品収容部と、を備える椅子において、
前記物品収容部の外周に、前記物品収容部内の収容空間にアクセスするための開口部と、前記開口部と隣接する位置で前記物品収容部の下側から上側に向かうほど外周側に張り出す遮蔽部と、が設けられることを特徴とする椅子。
【請求項２】
前記物品収容部の底部が前記座より小であり、前記底部の外周と前記座の外周とに渡って前記遮蔽部が設けられることを特徴とする請求項１に記載の椅子。
【請求項３】
前記物品収容部が下方に凸の半球状に形成されることを特徴とする請求項１又は２に記載の椅子。
【請求項４】
前記物品収容部の内側面と底面との間に、これらを連続させるように接続する湾曲面が設けられることを特徴とする請求項１から３の何れか一項に記載の椅子。
【請求項５】
前記遮蔽部の上端部が前記座に連結されることを特徴とする請求項１から４の何れか一項に記載の椅子。
【請求項６】
床面に接地する脚を備え、前記脚が前記物品収容部の下部より外周側に突出して設けられることを特徴とする請求項５に記載の椅子。
【発明の詳細な説明】
【技術分野】
【０００１】
本発明は、座の下方に物品収容部を備える椅子に関する。
【背景技術】
【０００２】
上記技術分野に属する椅子として、例えば特許文献１に開示されるものが公知である。
上記文献に開示される椅子においては、背凭れと一体化された座が、物品収容部と一体化された支持構造体に対して回動可能に支持される。物品収容部は、上方から下方に向けて徐々に拡開する３本のアーム部材１４６により、上下方向及び左右方向の収容空間を画定する。この構造では、使用者が着座した状態で座を回転させたときに、座がどの位置にあっても、着座した状態から収容空間に容易にアクセスできるという点で優れる。また、物品収容部の底面（物品載置面）を大きく確保できるので、物品を広い面に安定した状態で置くことができという点でも優れる。
【先行技術文献】
【特許文献】
【０００３】
【特許文献１】米国特許出願公開第２０１１／０１８７１６４号明細書
【発明の概要】
【発明が解決しようとする課題】
【０００４】
しかし、上記椅子の場合、収容空間の大部分が物品収容部の外方に露呈していることから、必然的に物品収容部内の物品も外方に露呈された状態となるため、盗難や悪戯等の抑止力が低下するという課題がある。また、物品収容部の下側が大きくなると、椅子の足元スペースが狭くなり、椅子から足を離す必要が生じるため、人によっては足を大きく伸ばさないと着座できなくなる等、使い勝手が悪くなるという課題がある。
【０００５】
本発明は上記事情に鑑みてなされたもので、座の下方に物品収容部を備える椅子において、特定方向からの収容空間へのアクセスを抑止するとともに、足元スペースを拡大することを目的とする。
【課題を解決するための手段】
【０００６】
上記目的を達成するために、本発明は以下の手段を採用している。
すなわち、本発明に係る椅子は、着座者が着座する座と、前記座の下方に設けられる物品収容部と、を備える椅子において、前記物品収容部の外周に、前記物品収容部内の収容空間にアクセスするための開口部と、前記開口部と隣接する位置で前記物品収容部の下側から上側に向かうほど外周側に張り出す遮蔽部と、が設けられることを特徴とする。
この構成によれば、特定方向からの収容空間へのアクセスを遮蔽部によって抑止できる。また、第三者の開口部へのアクセスは、通常は座より上方の位置からなされることから、遮蔽部が上側ほど外周側に張り出すことで、遮蔽部側では開口部が第三者から遠ざかることとなり、収容空間へのアクセスをより効果的に抑止できる。さらに、物品収容部が下側ほど窄まった形状となるので、着座者の足元スペースが広がり、着座姿勢の自由度を向上できる。
【０００７】
また、上記椅子は、前記物品収容部の底部が前記座より小であり、前記底部の外周と前記座の外周とに渡って前記遮蔽部が設けられる構成でもよい。
この場合、遮蔽部とともに座が張り出すことによって、遮蔽部側からの開口部へのアクセスをより効果的に抑止できる。また、底部と遮蔽部との連結部位が鈍角をなすようになるので、細かなゴミや埃を除去するといった清掃作業を行い易くなる。
【０００８】
また、上記椅子は、前記物品収容部が下方に凸の半球状に形成される構成でもよい。
この場合、物品収容部が上側から下側へ直線状に窄まる構成に比して、物品収容部の下側を縮小して着座者の足元スペースを確保しつつ、物品収容部の上側では収容空間の容量や開口部の大きさを確保できる。
【０００９】
また、上記椅子は、前記物品収容部の内側面と底面との間に、これらを連続させるように接続する湾曲面が設けられる構成でもよい。
この場合、物品収容部の底面から内側面までが緩やかな面一状に連なり、埃や汚れが溜まり難くかつ掃除も容易な構造にできる。
【００１０】
また、上記椅子は、前記遮蔽部の上端部が前記座に連結される構成でもよい。
この場合、遮蔽部を座からの荷重を支持する荷重支持部材として利用でき、遮蔽部とは別に荷重支持部材を設ける場合と比べて、部品点数及び重量の削減を図り、かつ開口部の広さを確保できる。
【００１１】
また、上記椅子は、床面に接地する脚を備え、前記脚が前記物品収容部の下部より外周側に突出して設けられる構成でもよい。
この場合、物品収容部の下側を縮小した構成でも、物品収容部の下部より広い脚を備えることで、椅子の床上での安定性を確保できる。
【発明の効果】
【００１２】
本発明によれば、座の下方に物品収容部を備える椅子において、特定方向からの収容空間へのアクセスを抑止するとともに、足元スペースを拡大することができる。
【図面の簡単な説明】
【００１３】
【図１】この発明の実施形態における椅子の斜視図である。
【図２】上記椅子の分解斜視図である。
【図３】上記椅子の組み付け部分を拡大した分解斜視図である。
【図４】（ａ）は上記椅子の左右中心面に沿う断面図、（ｂ）は（ａ）のｂ部拡大部である。
【図５】上記椅子の前面図である。
【図６】上記椅子の側面図である。
【図７】上記椅子の後面図である。
【図８】図５のＶＩＩＩ−ＶＩＩＩ断面図である。
【図９】上記椅子の変形例を示す斜視図である。
【図１０】上記椅子の他の変形例を示す斜視図である。
【発明を実施するための形態】
【００１４】
以下、本発明の一実施形態について図面を参照して説明する。なお、以下の説明では、椅子の座面上で背凭れに背を向けて着座した着座者の「前方」を図中矢印ＦＲで示し、前記着座者の「上方」を図中矢印ＵＰで示し、上記着座者の「左方」を図中矢印ＬＨで示す。
【００１５】
図１に示すように、本実施形態の椅子１は、フロアＦ上に載置される多岐脚２と、多岐脚２上に支持される物品収容部３と、物品収容部３上に支持される座４と、座４の後端部上に起立する背凭れ５と、を備える。座４は平面視円形状をなし、その平面視形状の中心ＣＰ（平面視形状の重心位置に相当）を通る鉛直線を椅子１の中心線Ｃ１とする。座４ひいては椅子１の前後方向は、背凭れ５の側を後側とすることで規定される。
【００１６】
図２を併せて参照し、多岐脚２は、平面視で放射状に配置されて中心線Ｃ１回りの椅子周方向（物品収容部３の外周に沿う方向）で等間隔に並ぶ複数本（本実施形態では４本）の脚部２ａと、各脚部２ａの内周側端部を接続する基部２ｂと、を有する。各脚部２ａの外周側端部の下側には、それぞれキャスタ２ｃが支持される。基部２ｂは、例えば平面視で十文字形状をなし、その複数の外周突部２ｄに各脚部２ａの内周側端部が一体的に接続される。多岐脚２は、例えば樹脂成型により一体形成されるが、金属等の異なる材料で構成してもよく、かつ複数の分割体を適宜結合した構成でもよい。
【００１７】
図５〜図８を併せて参照し、物品収容部３は、例えば下方に凸の半球状をなし、その内部を収容空間Ｋ１とする。物品収容部３は、収容空間Ｋ１を外周方及び下方から覆う中空の外殻状に形成される。物品収容部３は、その前部の左右両側をそれぞれ切り欠くことで、収容空間Ｋ１に対して物品の出し入れを可能とする左右一対かつ左右対称の開口部６を形成する。開口部６は、座４の外周近傍から下方へ概ね半円状をなすように形成される。
【００１８】
物品収容部３の前部に左右開口部６を形成することで、物品収容部３の前後には、それぞれ椅子周方向で比較的幅狭の前壁部１１と比較的幅広の後壁部１２とが形成される。前後壁部１１，１２の椅子周方向の幅を図８に符号Ｈ１，Ｈ２で示す。前後壁部１１，１２は、それぞれ座４の前後端Ｔ１，Ｔ２を含む所定範囲に形成されており、座４の前後を両持ち支持して座４からの荷重を受ける。幅広の後壁部１２の椅子周方向両側の部位と前壁部１１とは、平面視で三角配置されており、座４からの荷重をバランス良く支持する。物品収容部３は、多岐脚２上で座４からの荷重を支持する荷重支持部材としても機能する。
【００１９】
図２、図４を参照し、物品収容部３の底部８には、収容空間Ｋ１側から平坦な底板９が嵌め込まれて固定される。底板９は、物品収容部３の略水平な底面９ａを形成する。底面９ａは、開口部６の下端Ｔ３よりやや下方に位置する。物品収容部３は、底面９ａより下方の椀状の底部８と、底面９ａより上方の筒状の外周壁部７とを主に構成される。底部８は、平面視で座４より小径の円形とされる。
【００２０】
底部８には、多岐脚２の基部２ｂを下方から嵌め込み可能とするべく、下方から見て凹状の嵌合部８ａが形成される。この嵌合部８ａに多岐脚２の基部２ｂを下方から嵌め込み、基部２ｂの各外周突部２ｄに上方から挿通したネジＳ１を基部２ｂに螺着し締め込むことで、嵌合部８ａ及び基部２ｂが締結され、物品収容部３と多岐脚２とが一体的に結合される。
【００２１】
底板９は、嵌合部８ａ及びネジＳ１を上方から覆って隠し、略水平な底面９ａを形成する。底板９の外周部９ｂは、上方に向けて湾曲するとともに末端側ほど板厚を減少させる。物品収容部３の内側面３ａには、底板９の外周部９ｂの末端側を入り込ませてその湾曲面９ｃと物品収容部３の内側面３ａとを面一にする凹状段差部３ｂが形成される。これにより、底板９の底面９ａから物品収容部３の内側面３ａまでが緩やかな面一状に連なり、埃や汚れが溜まり難くかつ掃除も容易になる。物品収容部３は、例えば樹脂成型により一体形成されるが、金属等の異なる材料で構成してもよく、かつ複数の分割体を適宜結合した構成でもよい。
【００２２】
図２、図３を参照し、座４は、略水平な（詳細にはやや後下がりに凹んだ）座面１３ａを形成する円板状の座面部１３と、座面部１３の外周縁から下方に向けて起立する外周フランジ部１４と、座面部１３の外周側かつ外周フランジ部１４より内周側から下方に向けて起立する内周リブ部１５と、内周リブ部１５の途中で上下方向に沿う円筒状に形成される複数の締結ボス１６と、各締結ボス１６から座面部１３の外周側に延びて外周フランジ部１４に接続される連結リブ１７と、を有する。図中線Ｌ４は座４と物品収容部３との分割線であり、外周フランジ部１４の下縁に沿って延びる。
【００２３】
外周フランジ部１４は、物品収容部３の外周壁部７の上端部に形成された縮径部３ｃに外嵌し、外周壁部７と面一の外側面３ｄを形成する。外周壁部７の上端部の内周側には、各締結ボス１６に上下方向で対向する複数の挿通ボス１８が設けられる。各挿通ボス１８は、それぞれ椅子周方向と直交する架設壁部１９を介して物品収容部３の内側面３ａに支持される。各挿通ボス１８には下方からネジＳ２が挿通され、このネジＳ２を各締結ボス１６に螺着し締め込むことで、座４の外周部が外周壁部７の上端部に締結され、座４と物品収容部３とが一体的に結合される。
【００２４】
図３を参照し、各挿通ボス１８の上端部には、架設壁部１９に面する部位を除く平面視Ｃ字状の外周部から上方に向けて起立するＣ字状リブ１８ａが形成される。各架設壁部１９の上端部には、その椅子周方向両側から上方に向けて起立するとともにＣ字状リブ１８ａの開放端に連なる一対の直線状リブ１９ａが形成される。Ｃ字状リブ１８ａの内周側には、締結ボス１６の下端部が嵌合し、一対の直線状リブ１９ａの間には、連結リブ１７の下端部が嵌合する。
【００２５】
Ｃ字状リブ１８ａの椅子周方向両側には、内周リブ部１５の下端部を嵌合させる切り欠き１８ｂが形成される。縮径部３ｃの架設壁部１９に面する部位には、連結リブ１７の下端部を嵌合させる切り欠き１８ｃが形成される。これらＣ字状リブ１８ａ、直線状リブ１９ａ及び各切り欠き１８ｂ，１８ｃによって、締結ボス１６及び挿通ボス１８を設けた位置での座４と物品収容部３との位置合わせが正確かつ容易になされる。
【００２６】
座４は、例えば座面部１３の撓みによりクッション性を発揮するが、座面部１３上に別途クッションを設置してもよい。座４は、例えば樹脂成型により一体形成されるが、金属等の異なる材料で構成してもよく、かつ複数の分割体を適宜結合した構成でもよい。
【００２７】
図５〜図８を参照し、背凭れ５は、座４の外周部における後端Ｔ２を中心とした椅子周方向の所定範囲（例えば平面視で中心軸回りに１２０度ほどの範囲）において、上方へ起立するように設けられる。背凭れ５は、座面１３ａより上方で中心線Ｃ１側に僅かに傾斜する。背凭れ５の上端部５ａは、後方へ向けて湾曲することで、背凭れ５上端のエッジ感を抑える。背凭れ５は、例えば座４の後側に一体形成されるが、別体の背凭れ５を一体に結合した構成でもよく、又は座４と別体の背凭れ５を座４や他部位に支持した構成でもよい。本実施形態では、椅子１の前後方向を背凭れ５で規定するが、背凭れ５が無い場合等には、座４の形状や座面１３ａの凹凸等で椅子１の前後方向を規定してもよい。
【００２８】
図１、図２、図５、図６を参照し、物品収容部３の開口部６は、座４の外周に沿うように略水平に形成される上縁部６ａと、上縁部６ａの前端から開口部６の下端Ｔ３に渡り前方かつ左右内側に凸の円弧状に形成される前縁部６ｂと、上縁部６ａの後端から開口部６の下端Ｔ３に渡り後下方に凸の円弧状に形成される後下縁部６ｃと、を有する。
【００２９】
上縁部６ａは、外周壁部７の上端で上下幅を均一にして形成されたリム部７ａの下縁に沿う。リム部７ａの前端は、比較的大径の前縁部６ｂにより切り残された筋交い状部７ｂを介して、前壁部１１の上部に連続するように接続される。これにより、リム部７ａが座４からの荷重を支持し易くなる。リム部７ａを無くして開口部６を上方に開放させることも可能だが、この構成では座４からの荷重による負荷が前後壁部１１，１２の上端部と座４との結合部に集中するので、リム部７ａにより開口部６を閉じた構成であることが好ましい。上縁部６ａと後下縁部６ｃとは、比較的小径の後上湾曲縁部６ｄを介して接続される。
【００３０】
後下縁部６ｃは、背凭れ５の側縁部５ｂと連続するように形成され、背凭れ５と物品収容部３との一体的な外観を形成するとともに、背凭れ５に入力された荷重を後壁部１２で支持し易くする。
【００３１】
開口部６の下端Ｔ３は底板９の外周部９ｂに近接し、下端Ｔ３近傍での外周壁部７の立ち上がりを最小とする。開口部６の下端Ｔ３より前方及び後方の部位では、外周壁部７の高さが漸次増加し、底板９上に載置した物品の落下を抑止する。
【００３２】
図８を参照し、物品収容部３の任意の高さでの水平面に沿う断面において、開口部６の前後端を結ぶ直線Ｌ１の法線Ｌ２は、左右方向に沿う基準線Ｌ３に対して、左右外側に位置するほど前側に位置するように傾斜する。すなわち、開口部６が真横ではなくやや前向きに開口しており、前方を向いた着座者が前屈みで収容空間Ｋ１にアクセスする際の使い勝手を向上させる。
【００３３】
図５、図６を参照し、開口部６における上縁部６ａと下端Ｔ３との間の上下方向の中間位置を開口部６の中間高さＺ１とすると、開口部６は、少なくとも中間高さＺ１より下方の部位では、上側ほど椅子周方向の幅Ｈ３が広くなるように形成される。すなわち、開口部６の中間高さＺ１が最も幅広となるように形成される。物品収容部３の底板９上に物品を載置する際や底板９上の物品を取り出す際には、通常は底板９近くではなく開口部６の中間高さＺ１近くを利用するので、開口部６の中間高さＺ１を幅広にすることで収容空間Ｋ１の使い勝手が向上する。
【００３４】
図８を参照し、後壁部１２は、平面視で中心線Ｃ１を中心とした角度（座４の中心角度）で少なくとも９０度の範囲Ｒ１に形成される。これにより、収容空間Ｋ１の後部が椅子周方向で広く覆われるので、収容空間Ｋ１内の物品に対する後方からの盗難や悪戯等が抑制される。また、物品収容部３が半球状であることで、後壁部１２の椅子周方向両側が前側に回り込み、後壁部１２が収容空間Ｋ１の後部の後方のみならず両側方も覆う。これにより、上記盗難や悪戯等がより一層抑制される。図では、座４の中心角度で１２０度を超える範囲Ｒ１に後壁部１２が形成される。この場合、収容空間Ｋ１の両側方をより広く覆い、かつ開口部６を狭める影響も少ないので、より好ましい。
【００３５】
前記範囲Ｒ１について、座４が略矩形状でその下方に重なるようにボックス状の物品収容部３が設けられる場合、座４の中心角度で少なくとも９０度の範囲Ｒ１に後壁部１２が形成されていれば、概ね収容空間Ｋ１の後面全体を覆うことができる。座４の中心角度で１２０度を超える範囲Ｒ１に後壁部１２が形成されていれば、収容空間Ｋ１の後面のみならず側面に回り込んで覆うことができる（図９、図１０参照）。
【００３６】
本実施形態において、物品収容部３は、下方に凸の半球状に形成されることから、その下側から上側に向けて拡径するように設けられる。この物品収容部３の上部（前後壁部１１，１２の上部及びリム部７ａ）は、平面視でほぼ同サイズで重なる座４とともに、開口部６より外周方に張り出す張り出し部２１を構成する。
【００３７】
通常、開口部６を通じて収容空間Ｋ１にアクセスする際には、座面１３ａより上方の位置から手を延ばす等して行うこととなる。これは、収容空間Ｋ１内への物品に対する後方からの盗難や悪戯等を行う際も同様と考えられるが、特に開口部６に隣接する後壁部１２が上側ほど外周方に張り出すことで、盗難や悪戯等を行おうとする第三者から開口部６が遠ざかる。この点からも上記盗難や悪戯等が抑制される。しかも、物品収容部３の下部は窄まっているので、椅子１の足元スペースが広がり、着座時の足の置き方の自由度が高く、かつ椅子１近くに立って椅子１を移動させる等の作業もし易くなる。多岐脚２の各脚部２ａは、物品収容部３の下部より外周方に延びるので、椅子１の安定性は確保される。
【００３８】
以上説明したように、上記実施形態の椅子１は、着座者が着座する座４と、座４の下方に設けられる物品収容部３と、を備えるものにおいて、物品収容部３が、当該椅子１の前側で椅子１の左右中央（前端Ｔ１）を含む所定幅Ｈ１に設けられる前壁部１１と、当該椅子１の後側で椅子１の左右中央（後端Ｔ２）を含む所定幅Ｈ２に設けられる後壁部１２と、前後壁部１１，１２の間に形成される開口部６と、を有し、後壁部１２が、前壁部１１に比して、物品収容部３の外周に沿う方向の幅が広いものである。
この構成によれば、前後壁部１１，１２間の開口部６が、椅子１の前寄りでかつ椅子１の左右中央を避けた位置に形成されるため、着座者が収容空間Ｋ１の前側から物品を出し入れする際にも、着座状態から斜めに屈むだけで、手足や上体を大きく動かすことなく物品を出し入れできる。すなわち、着座者が自然に収容空間Ｋ１にアクセスすることができる。
また、収容空間Ｋ１の後方が広く覆われるので、収容空間Ｋ１への後方からのアクセスが抑止され、物品収容部３内の物品に対する盗難や悪戯等の虞を軽減できる。
【００３９】
また、上記椅子１は、後壁部１２が、座４の平面視の中心角度で少なくとも９０度の範囲Ｒ１に設けられる。このため、収容空間Ｋ１の後方が広く覆われ、かつ開口部６も前寄りになり、収容空間Ｋ１への後方からのアクセスをより効果的に抑止し、かつ着座状態からより自然に収容空間Ｋ１にアクセスできる。
【００４０】
また、上記椅子１は、物品収容部３の左右に開口部６が形成され、物品収容部３の水平面に沿う断面で、開口部６の前後端を結ぶ直線Ｌ１の法線Ｌ２が、左右外側ほど前側に位置するように傾斜する。このため、左右開口部６が前向きに開口することとなり、収容空間Ｋ１への後方からのアクセスをより効果的に抑止し、かつ着座状態からより自然に収容空間Ｋ１にアクセスできる。
【００４１】
また、上記椅子１は、開口部６の少なくとも下半部が、上側ほど物品収容部３の外周に沿う方向の幅Ｈ３が広い。収容空間Ｋ１部への物品の出し入れは、通常は開口部６の上下中間部で行われるが、この上下中間部を幅広とすることで、収容空間Ｋ１部への物品の出し入れを容易にできる。また、物品収容部３の底板９付近では前後壁部１１，１２が相対的に幅広となり、底板９上に載置した荷物の落下を抑止できる。
【００４２】
また、上記椅子１は、物品収容部３と座４とが、互いに相対移動不能に連結される。これにより、物品収容部３と座４とが相対回転しないので、座４側で椅子１の前後方向を規定すれば、開口部６を前向きにしたことや後壁部１２を幅広にしたことによる効果を着座者が確実に得られる。
【００４３】
また、上記椅子１は、床面に接地する多岐脚２を備え、多岐脚２と座４との間に物品収容部３が設けられる。これにより、座４と多岐脚２とを備える通常構成の椅子１にも、着座した状態から容易に収容空間Ｋ１にアクセス可能でかつ収容空間Ｋ１への後方からのアクセスを抑止した物品収容部３を簡単に具備できる。
【００４４】
また、上記椅子１は、前後壁部１１，１２の少なくとも一方が、座４からの荷重を支持する。このため、前後壁部１１，１２とは別に荷重支持部材を設ける場合と比べて、部品点数及び重量の削減を図り、かつ開口部６の拡大にも貢献できる。
【００４５】
さらに、上記椅子１は、物品収容部３の外周に、物品収容部３内の収容空間Ｋ１にアクセスするための開口部６と、開口部６と隣接する位置で物品収容部３の下側から上側に向かうほど外周側に張り出す遮蔽部としての後壁部１２と、が設けられるものである。
この構成によれば、特定方向からの収容空間Ｋ１へのアクセスを後壁部１２によって抑止できる。また、第三者の開口部６へのアクセスは、通常は座４より上方の位置からなされることから、後壁部１２が上側ほど外周側に張り出すことで、後壁部１２側では開口部６が第三者から遠ざかることとなり、収容空間Ｋ１へのアクセスをより効果的に抑止できる。さらに、物品収容部３が下側ほど窄まった形状となるので、着座者の足元スペースが広がり、着座姿勢の自由度を向上できる。
【００４６】
また、上記椅子１は、物品収容部３の底部８が座４より小であり、底部８の外周と座４の外周とに渡って後壁部１２が設けられる。すなわち、後壁部１２とともに座４が張り出すことによって、後壁部１２側からの開口部６へのアクセスをより効果的に抑止できる。
【００４７】
また、上記椅子１は、物品収容部３が下方に凸の半球状に形成される。これにより、物品収容部３が上側から下側へ直線状に窄まる構成に比して、物品収容部３の下側を縮小して着座者の足元スペースを確保しつつ、物品収容部３の上側では収容空間Ｋ１の容量や開口部６の大きさを確保できる。
【００４８】
また、上記椅子１は、物品収容部３の内側面３ａと底面９ａとの間に、これらを連続させるように接続する湾曲面９ｃが設けられる。このため、物品収容部３の底面９ａから内側面３ａまでが緩やかな面一状に連なり、埃や汚れが溜まり難くかつ掃除も容易な構造にできる。
【００４９】
また、上記椅子１は、後壁部１２の上端部が座４に連結される。このため、後壁部１２を座４からの荷重を支持する荷重支持部材として利用でき、後壁部１２とは別に荷重支持部材を設ける場合と比べて、部品点数及び重量の削減を図り、かつ開口部６の広さを確保できる。
【００５０】
また、上記椅子１は、床面に接地する多岐脚２を備え、多岐脚２が物品収容部３の下部より外周側に突出して設けられる。このように、物品収容部３の下側を縮小した構成でも、物品収容部３の下部より広い多岐脚２を備えることで、椅子１の床上での安定性を確保できる。
【００５１】
なお、本発明は上記実施形態に限られるものではなく、例えば、座４の平面視形状は円形に限らず矩形状等の様々な形状であってもよい。物品収容部３は半球状ではなく直方体状等の様々な形状であってもよい。多岐脚２の構成も上記実施形態に限られるものではなく、かつ多岐脚２を無くして物品収容部３の底部８を椅子１の脚として接地させる構成でもよい。開口部６より外周方に張り出す張り出し部２１は座４や物品収容部３とは別に設けてもよい。後壁部１２は収容空間Ｋ１へのアクセスを遮断するものであり、空間を遮蔽する壁の他、柵状や網状等であってもよい。前後壁部１１，１２の少なくとも一方が座４からの荷重を支持せず別途荷重支持部材を備える構成でもよい（図１０参照）。開口部６や前後壁部１１，１２を左右非対称に設けてもよい。
【００５２】
図９は、椅子１の変形例としての椅子１０１を示す。椅子１０１は、矩形状の座１０４及び背凭れ１０５を一体形成し、座１０４の下方には前面視で矩形状かつ側面視で台形状の収容空間Ｋ１０１を形成する物品収容部１０３を設け、物品収容部１０３の下方には先端にキャスタ２ｃを配した脚部１０２ａを複数有する多岐脚１０２を設けたものである。
物品収容部１０３の前部両側には前方かつ左右側方に開放する開口部１０６が形成され、左右開口部１０６の前部間には前壁部１１１が形成され、左右開口部１０６の後部間には後壁部１１２が形成される。後壁部１１２は前壁部１１１より幅広で、収容空間Ｋ１０１の後部の側面まで覆うように形成される。
【００５３】
図１０は、椅子１の他の変形例としての椅子２０１を示す。椅子２０１は、図９の椅子１０１に対して、多岐脚２０２の脚部２０２ａが座１０４を直接支持し、座１０４の下方に吊り下げるように物品収容部１０３を設けたものである。すなわち、物品収容部１０３が座１０４からの荷重を支持しない態様である。
椅子１０１，２０１は、ボックス状の物品収容部１０３の態様を例示するものであり、かつ椅子２０１は、物品収容部１０３が座１０４からの荷重を支持しない態様を例示するものである。また、椅子２０１は、前壁部１１１があることで、吊り下げ状態の物品収容部１０３が座１０４に対して片持ち状態にならなくなっている。これらの例は、さらに物品収容部１０３の下部を窄ませる等の態様を適用してもよい。
そして、上記した構成は本発明の一例であり、当該発明の要旨を逸脱しない範囲で種々の変更が可能である。
【符号の説明】
【００５４】
１  椅子
２  多岐脚（脚）
３  物品収容部
３ａ  内側面
４  座
６  開口部
８  底部
９ａ  底面
９ｃ  湾曲面
１１  前壁部（前遮蔽部）
１２  後壁部（後遮蔽部、遮蔽部）
Ｋ１  収容空間
Ｔ１  前端（左右中央）
Ｔ２  後端（左右中央）
Ｈ１，Ｈ２，Ｈ３  椅子周方向幅（所定幅、物品収容部の外周に沿う方向の幅）
Ｒ１  範囲
Ｌ１  直線
Ｌ２  法線
【図１】
2015202343.tif 000003
【図２】
2015202343.tif 000004
【図３】
2015202343.tif 000005
【図４】
2015202343.tif 000006
【図５】
2015202343.tif 000007
【図６】
2015202343.tif 000008
【図７】
2015202343.tif 000009
【図８】
2015202343.tif 000010
【図９】
2015202343.tif 000011
【図１０】
2015202343.tif 000012